(57)【要約】【課題】センサー笠木の持ち上げ手段として、小型でありながら高弾力、高付勢力が得られるとともに、センサー笠木に過荷重が作用したときに、過剰な変形（永久歪）が未然に防止できるようにした防犯センサーを提供する。【解決手段】バルコニーの腰壁１等の頂部分とセンサー笠木５の下面との間に、センサー笠木５を上方に持ち上げる板ばね材１１が設けられ、この板ばね材１１は、センサー笠木５の長手方向に延在されて、両端部１１ａがバルコニーの腰壁１等の頂部分に取付けられるとともに、センサー笠木５の下面に当接する凸部１１ｃが長手方向の中間部に形成され、この凸部１１ｃの両側に凹部１１ｄが形成されて、この凹部１１ｄは、センサー笠木５の押し下げストローク分だけ、板ばね材１１の取付け面よりも上方に浮かせている。【選択図】図５
2008169597.tif 000002
【特許請求の範囲】
【請求項１】
バルコニーの腰壁、フェンス、塀等の頂部分の圧力センサーを覆うセンサー笠木が設けられ、このセンサー笠木が荷重で押し下げられたときに、圧力センサーを押圧するようになった防犯センサーであって、
バルコニーの腰壁等の頂部分とセンサー笠木の下面との間に、センサー笠木を上方に持ち上げる板ばね材が設けられ、この板ばね材は、センサー笠木の長手方向に延在されて、両端部がバルコニーの腰壁等の頂部分に取付けられるとともに、センサー笠木の下面に当接する凸部が長手方向の中間部に形成され、この凸部の両側に凹部が形成されて、この凹部は、センサー笠木の押し下げストローク分だけ、板ばね材の取付け面よりも上方に浮かせていることを特徴とする防犯センサー。
【請求項２】
前記板ばね材の両端部の外縁部に、前記凸部よりも低い高さの立ち上げ部が形成されていることを特徴とする請求項１に記載の防犯センサー。
【請求項３】
前記板ばね材の両端部は、板ばね材の取付け面に対して、取付け前は上向きに傾斜されていることを特徴とする請求項１または２に記載の防犯センサー。
【発明の詳細な説明】
【技術分野】
【０００１】
本発明は、バルコニーの腰壁、フェンス、塀等の頂部分に設ける防犯センサーに関する。
【背景技術】
【０００２】
従来、バルコニーの腰壁等の頂部分を乗り越えて不審者が侵入するのを防止する防犯センサーが知られている。これらは、主に赤外線センサー、超音波センサー、静電容量検知センサー、磁気センサーを用いて不審者の侵入を検知するもの、あるいはカメラ等の撮像的監視モニターで監視して侵入を検知するものである（例えば特許文献１，２を参照）。
【０００３】
このような防犯センサーにおいては、猫や鳥等の小動物が侵入しても不審者が侵入した場合とほぼ同様に検知して、不審者が侵入していないにもかかわらず不審者が侵入したと誤検知することが多く、検知精度を上げようとすると、構造が複雑化し部品点数が増加してコスト高になる。また、カメラ等を設ける場合には、バルコニーの腰壁等に対する収まりが悪くて一体感が無く、外観性を損ねる。
【０００４】
そこで、本出願人は、バルコニーの腰壁の頂部分に設けられた圧力センサーを覆うセンサー笠木を設けて、このセンサー笠木に手等を掛けて乗り越えようとする不審者の荷重（体重）によって、センサー笠木が押し下げられたときに、圧力センサーを押圧するようになった防犯センサーを先に提案した。
【０００５】
これによれば、防犯センサーとして赤外線センサー等を用いた場合のように、猫や鳥等の軽量な小動物の侵入を不審者の侵入と誤検知することが未然に防止できるとともに、構造が簡単化し部品点数が減少してコスト安になり、また、バルコニーの腰壁等の頂部分に設ける手摺りとの収まりが良くなって一体感が有り、外観性が向上するようになる。
【特許文献１】特開２００１−１５３９６４号公報
【特許文献２】特開２００２−１５３８０号公報
【発明の開示】
【発明が解決しようとする課題】
【０００６】
しかしながら、本出願人の提案にかかる防犯センサーにおいては、センサー笠木を上方に持ち上げる持ち上げ手段に関して改善すべき要望があった。
【０００７】
本発明は、前記要望に応えるためになされたもので、センサー笠木の持ち上げ手段として、小型でありながら高弾力、高付勢力が得られるとともに、センサー笠木に過荷重が作用したときに、過剰な変形（永久歪）が未然に防止できるようにした防犯センサーを提供することを目的とするものである。
【課題を解決するための手段】
【０００８】
前記課題を解決するために、本発明は、バルコニーの腰壁、フェンス、塀等の頂部分の圧力センサーを覆うセンサー笠木が設けられ、このセンサー笠木が荷重で押し下げられたときに、圧力センサーを押圧するようになった防犯センサーであって、バルコニーの腰壁等の頂部分とセンサー笠木の下面との間に、センサー笠木を上方に持ち上げる板ばね材が設けられ、この板ばね材は、センサー笠木の長手方向に延在されて、両端部がバルコニーの腰壁等の頂部分に取付けられるとともに、センサー笠木の下面に当接する凸部が長手方向の中間部に形成され、この凸部の両側に凹部が形成されて、この凹部は、センサー笠木の押し下げストローク分だけ、板ばね材の取付け面よりも上方に浮かせていることを特徴とする防犯センサーを提供するものである。
【０００９】
請求項２のように、前記板ばね材の両端部の外縁部に、前記凸部よりも低い高さの立ち上げ部が形成されていることが好ましい。
【００１０】
請求項３のように、前記板ばね材の両端部は、板ばね材の取付け面に対して、取付け前は上向きに傾斜されていることが好ましい。
【発明の効果】
【００１１】
本発明によれば、板ばね材に凸部と凹部とを形成することで、板ばね材は小型でありながら高弾性、高付勢力（高持ち上げ力）になるとともに、板ばね材の凹部を取付け面よりも浮かせることで、センサー笠木に過荷重が作用したときに、凹部が取付け面で当て止められるため、板ばね材の過剰な変形（永久歪）が未然に防止されるようになる。また、板ばね材は、センサー笠木の長手方向に延在された形状であるために、圧力センサーがセンサー笠木の長手方向に延在されるケーブル状であるときは、圧力センサーに対していずれかの側にオフセットさせて取付けることで、板ばね材が圧力センサーに干渉しないので、圧力センサーの取付け、取外しが容易に行えるようになる。
【００１２】
請求項２によれば、板ばね材の両端部の外縁部に立ち上げ部を形成することにより、センサー笠木に過荷重が作用したときに、センサー笠木の下面が立ち上げ部で当て止められるため、板ばね材の過剰な変形（永久歪）が未然に防止されるようになる。
【００１３】
請求項３によれば、板ばね材の両端部を上向きに傾斜させることにより、両端部を水平状態に矯正しながら取付け面に取付けた時に、凸部によるセンサー笠木の付勢力（持ち上げ力）が高まるようになる。
【発明を実施するための最良の形態】
【００１４】
以下、本発明を実施するための最良の形態について、図面を参照しながら詳細に説明する。
【００１５】
図１はバルコニーの要部斜視図、図２は図１の要部拡大断面図であり、腰壁１の頂部分（上端部分）には、腰壁１に沿った手摺り２が設けられ、この手摺り２は、腰壁１の頂部分に立てられた複数個の支柱３でほぼ水平状態に支持されている。手摺り２は、例えばアルミニューム製であり、略横長楕円形の断面形状に形成されている。なお、手摺り２は、住宅の施工時に取付けられた既設のものであっても良い。
【００１６】
手摺り２には、センサー笠木５が上方から被せられている。センサー笠木５は、例えばアルミニューム製の押し出し型材であり、略逆Ｕ形の断面形状に形成されている。
【００１７】
手摺り２の上部には、図３（ａ）（ｂ）にも示すように、手摺り２よりもやや広い幅で長手方向に延在するベース材６が配置され、ベース材６は、幅方向の中央下面部分が手摺り２の上面に宛われて、ねじ等で手摺り２に固定されるようになる。ベース材６は、例えばアルミニューム製の押し出し型材である。
【００１８】
ベース材６の幅方向の中央上面部分には、長手方向に延在する凹部６ａが形成されるとともに、その両側には、長手方向に延在するフラット部６ｂがそれぞれ形成されている。凹部６ａには、ベース材６の長手方向に沿ってゴムやエラストマーのような軟質合成樹脂製のセンサー保持具７の下部が嵌め込まれ、このセンサー保持具７の両側の窪み７ａに凹部６ａの両側のフック６ｄが係合することで、センサー保持具７が凹部６ａに固定されるようになる。
【００１９】
センサー保持具７の上部には、ケーブル状の圧力センサー８を上方から嵌め込んだときに、その弾力で保持するための凹部７ｂが形成され、圧力センサー８は、ベース材６の長手方向に配置されたセンサー保持具７に跨って、一連に嵌め込まれている。
【００２０】
圧力センサー８は、表面に押圧力（荷重）が作用したときに、その部分が歪むことで、押圧力（荷重）に比例した電圧が誘起されるものである。
【００２１】
センサー保持具７で保持された圧力センサー８を押圧するセンサー押圧材９は、ゴムやエラストマーのような弾性体で成形されて、図４（ａ）〜（ｃ）に詳細に示すように、圧力センサー８に上方から対向する押圧基部９ａと、ベース材６のフラット部６ｂにねじ１８で固定される固定部９ｂと、この固定部９ｂと押圧基部９ａとを連結する可撓性の連結部９ｃとで形成されて、押圧基部９ａの押圧面には、圧力センサー８と直交する方向に延在する断面半円状の押圧突起９ｄが圧力センサー８の長手方向に一対形成されている。
【００２２】
このセンサー押圧材９は、図４（ｄ）のように、連結部９ｃを撓ませながら押圧基部９ａを指で持ち上げると、押圧基部９ａをセンサー保持具７の上方から退避させることができ（二点鎖線参照）、この状態で圧力センサー８をセンサー保持具７に嵌め込み、その後に押圧基部９ａから指を離すと、連結部９ｃの弾力で押圧基部９ａが圧力センサー８の上方に自動的に復帰するようになる。
【００２３】
連結部９ｃの弾力は、押圧基部９ａが圧力センサー８の上方に自動的に復帰する程度に設定されているので、押圧突起９ｄが圧力センサー８に接触してもその部分が歪んで電圧が誘起されるおそれはない。
【００２４】
ベース材６の両側のフラット部６ｂには、ベース材６の長手方向に所定の間隔を隔てて、センサー笠木５の長手方向に延在する板ばね材１１が取付けられている。この板ばね材１１は、両側のフラット部６ｂに左右一対で取付けても良いが、センサー押圧材９の取付け位置にほぼ対応させて、左右交互に千鳥状に、つまり、圧力センサー８に対していずれかの側にオフセットさせて取付けても良い。なお、板ばね材１１については、後で詳細に説明する。
【００２５】
この板ばね材１１の付勢力によって、センサー笠木５が上方に持ち上げられるようになり、センサー笠木５が板ばね材１１の持ち上げ力（付勢力）に抗して、荷重で押し下げられたときに、センサー押圧材９の押圧基部９ａが下方に変位して圧力センサー８を押圧するようになる。
【００２６】
ベース材６の両端部には、下向きの係止爪６ｄが形成される一方、センサー笠木５の内面の両側には、ベース材６の係止爪６ｄに上方から無理嵌めするとともに、センサー笠木５の押し下げストロークを許容する係止溝５ａが形成されている。これにより、センサー笠木５は、ベース材６に対して、押し下げ・持ち上げ可能に取付けられることになる。
【００２７】
図１のように、腰壁１の端部分に位置するベース材６には、圧力センサー８の端部が接続される検知回路ブロック１３が取付けられるとともに、この付近の腰壁１の内面には、商用電源ＡＣが接続された報知ユニットボックス１４が取付けられて、検知回路ブロック１３の信号線１５が報知ユニットボックス１４に接続されている。
【００２８】
そして、センサー笠木５に手等を掛けて乗り越えようとする不審者の荷重（体重）によって、センサー笠木５が板ばね材１１の持ち上げ力（付勢力）に抗して押し下げられたときに、センサー押圧材９で圧力センサー８が押圧されることで、圧力センサー８には、押圧力（荷重）に比例した電圧が誘起され、この誘起電圧が検知回路ブロック１３で検知されて、例えば２０Ｋｇ以上の荷重（体重）であれば不審者が侵入したと判定して、報知ユニットボックス１４から警報音等を報知するようになる。
【００２９】
また、猫や鳥等の軽量な小動物がセンサー笠木５に乗りかかって、センサー笠木５が板ばね材１１の持ち上げ力（付勢力）に抗して押し下げられたとしても、圧力センサー８の誘起電圧が検知回路ブロック１３で検知されて、例えば数１０ｇから数Ｋｇの荷重（体重）であれば不審者が侵入していないと判定して、報知ユニットボックス１４から警報音等を報知しないようになる。
【００３０】
このように、防犯センサーとして赤外線センサー等を用いた場合のように、猫や鳥等の軽量な小動物の侵入を不審者の侵入と誤検知することが未然に防止できるとともに、構造が簡単化し部品点数が減少してコスト安になり、また、バルコニーの腰壁１等の頂部分に設ける手摺り２との収まりが良くなって一体感が有り、外観性が向上するようになる。
【００３１】
一方、センサー笠木５を付勢力で上方に持ち上げる板ばね材１１としては、ベース材６とセンサー笠木５との間のスペースに組み込む必要があることから、小型化が要望される。
【００３２】
また、板ばね材１１の付勢力が弱いと、軽い荷重でセンサー笠木５が押し下げられるので、圧力センサー８による検知精度は向上するが、小動物の乗りかかり等の外乱要因による誤検知の原因となるとともに、センサー笠木５に衝撃荷重が作用した場合、板ばね材１１が変形（永久歪）するおそれがある。逆に、板ばね材１１の付勢力が強すぎると、重い荷重でないとセンサー笠木５が押し下げられないので、圧力センサー８による検知精度が悪化する。そのため、人がセンサー笠木５を乗り越える際にかかる荷重等を考慮して、侵入者を確実に検知できる最適なばね定数の板ばねが必要である。
【００３３】
この板ばね材１１の形状としては、図１２（ａ）のような片持ち支持ばね１１´と、図１２（ｂ）のような両端支持ばね１１´とが考えられる。しかし、このような単純な形状のばねでは、付勢力が弱く、ばねとしての弾性が確保できず、永久歪が発生しやすくなり、付勢力等を確保しようとすると、ばねが大型化する。
【００３４】
そこで、図５（ａ）（ｂ）に示すように、板ばね材１１は、フラットな両端部１１ａにねじ用孔１１ｂが形成されて、このねじ用孔１１ｂを利用して、バルコニーの腰壁１等の頂部分であるベース材６にねじ１７〔図４（ａ）参照〕で取付けるようにしている。
【００３５】
また、センサー笠木５の下面に当接する凸部１１ｃが長手方向の中間部に形成され、この凸部１１ｃの両側に凹部１１ｄがそれぞれ形成されて、この凹部１１ｄは、センサー笠木５の押し下げストローク分だけ、板ばね材１１のベース材６の上面（取付け面）よりも高さＨ１で上方に浮かせている。
【００３６】
前記のような板ばね材１１であれば、板ばね材１１に凸部１１ｃと凹部１１ｄとを形成することで、板ばね材１１は小型でありながら高弾力、高付勢力になるとともに、板ばね材１１の凹部１１ｄをベース材６の上面よりも浮かせることで、センサー笠木５に過荷重が作用したときに、凹部１１ｄの底面がベース材６のフラット部６ｂの上面で当て止められるため、板ばね材１１の過剰な変形（永久歪）が未然に防止されるようになる。
【００３７】
また、板ばね材１１は、センサー笠木５の長手方向に延在された形状であるために、圧力センサー８がセンサー笠木５の長手方向に延在されるケーブル状であるときは、圧力センサー８に対していずれかの側にオフセットさせて取付けることで、板ばね材１１が圧力センサー８に干渉しないので、圧力センサー８の取付け、取外しが容易に行えるようになる。
【００３８】
図５（ｃ）（ｄ）に示すように、板ばね材１１の両端部１１ａの外縁部に、凸部１１ｃよりも低い高さＨ２の立ち上げ部１１ｅを形成することにより、センサー笠木５に過荷重が作用したときに、センサー笠木５の下面が立ち上げ部１１ｅで当て止められるため、板ばね材１１の過剰な変形（永久歪）が未然に防止されるようになる。
【００３９】
また、板ばね材１１の両端部１１ａは、ベース材６の上面に対して、取付け前は上向きに傾斜角度θで傾斜させることにより、両端部１１ａを水平状態に矯正しながらベース材６のフラット部６ｂの上面にねじ１７で取付けた時に、凸部１１ｃによるセンサー笠木５の付勢力（持ち上げ力）が高まるようになる。
【００４０】
図６〜図８は、図５（ａ）（ｂ）に示した板ばね材１１の詳細図であり、図６（ａ）は平面図、同（ｂ）は正面図、同（ｃ）は底面図、同（ｄ）は左側面図である。図７（ａ）は背面図、同（ｂ）は右側面図、同（ｃ）は斜視図である。図８は、板ばね材１１の使用状態を示す斜視図である。
【００４１】
図９〜図１１は、図５（ｃ）（ｄ）に示した板ばね材１１の詳細図であり、図９（ａ）は平面図、同（ｂ）は正面図、同（ｃ）は底面図、同（ｄ）は左側面図である。図１０（ａ）は背面図、同（ｂ）は右側面図、同（ｃ）は斜視図である。図１１は、板ばね材１１の使用状態を示す斜視図である。
【００４２】
前記実施形態は、バルコニーの腰壁１の頂部分にセンサー笠木５が設けられたものであったが、フェンスや塀等の頂部分にセンサー笠木５が設けられたものであっても良い。
【図面の簡単な説明】
【００４３】
【図１】本発明の実施形態に係る手摺りを備えたバルコニーの要部斜視図である。
【図２】図１の要部拡大断面図である。
【図３】センサー笠木を取り外した手摺りであり、（ａ）は斜視図、（ｂ）は（ａ）の要部拡大斜視図である。
【図４】（ａ）は板ばね材とセンサー押圧材の斜視図、（ｂ）はセンサー押圧材を上面側から見た斜視図、（ｃ）はセンサー押圧材を下面側から見た斜視図、（ｄ）はセンサー押圧材の側面図である。
【図５】板ばね材であり、（ａ）は斜視図、（ｂ）は正面図、（ｃ）は変形例の斜視図、（ｄ）は（ｃ）の正面図である。
【図６】図５（ａ）（ｂ）に示した板ばね材の詳細図であり、（ａ）は平面図、（ｂ）は正面図、（ｃ）は底面図、（ｄ）は左側面図である。
【図７】図５（ａ）（ｂ）に示した板ばね材の詳細図であり、（ａ）は背面図、同（ｂ）は右側面図、同（ｃ）は斜視図である。
【図８】図５（ａ）（ｂ）に示した板ばね材の使用状態を示す斜視図である。
【図９】図５（ｃ）（ｄ）に示した板ばね材の詳細図であり、（ａ）は平面図、（ｂ）は正面図、（ｃ）は底面図、（ｄ）は左側面図である。
【図１０】図５（ｃ）（ｄ）に示した板ばね材の詳細図であり、（ａ）は背面図、同（ｂ）は右側面図、同（ｃ）は斜視図である。
【図１１】図５（ｃ）（ｄ）に示した板ばね材の使用状態を示す斜視図である。
【図１２】（ａ）（ｂ）は、それぞれ従来の板ばね材の正面図である。
【符号の説明】
【００４４】
１      腰壁
２      手摺り
５      センサー笠木
６      ベース材
７      センサー保持具
８      圧力センサー
９      センサー押圧材
１１    板ばね材
１１ａ  両端部
１１ｃ  凸部
１１ｄ  凹部
１１ｅ  立ち上げ部
【図１】
2008169597.tif 000003
【図２】
2008169597.tif 000004
【図３】
2008169597.tif 000005
【図４】
2008169597.tif 000006
【図５】
2008169597.tif 000007
【図６】
2008169597.tif 000008
【図７】
2008169597.tif 000009
【図８】
2008169597.tif 000010
【図９】
2008169597.tif 000011
【図１０】
2008169597.tif 000012
【図１１】
2008169597.tif 000013
【図１２】
2008169597.tif 000014